(57)【要約】【課題】引戸において使用可能な耐震ラッチ構造を提供する。【解決手段】レール５７を備えた天板５６と、前記レール５７に沿って摺動可能な引戸６０、６１と、前記天板５６に取り付けられる耐震ラッチ本体１０と、前記引戸６０、６１に取り付けられる受部材５０、５１と、を備え、前記耐震ラッチ本体１０は、振動が発生したときに揺動して前記受部材５０、５１と係合するフック部材２５を備え、前記フック部材２５は、前記引戸６０、６１の面に対して垂直に配設された揺動軸２６を支点として揺動する。【選択図】図２
2015017449.tif 000002
【特許請求の範囲】
【請求項１】
レールを備えた天板と、
前記レールに沿って摺動可能な引戸と、
前記天板に取り付けられる耐震ラッチ本体と、
前記引戸に取り付けられる受部材と、
を備え、
前記耐震ラッチ本体は、振動が発生したときに揺動して前記受部材と係合するフック部材を備え、
前記フック部材は、前記引戸の面に対して垂直に配設された揺動軸を支点として揺動することを特徴とする、耐震ラッチ構造。
【請求項２】
前記引戸は引き違いで建て込まれており、
内側の引戸に取り付けられる受部材は引戸の側面に固定され、
外側の引戸に取り付けられる受部材は引戸の上面に固定されることを特徴とする、請求項１記載の耐震ラッチ構造。
【発明の詳細な説明】
【技術分野】
【０００１】
この発明は、振動が発生したときに戸体に設けられた受部と係合し、戸体が開放しないようにロックする耐震ラッチ本体に関するものである。
【背景技術】
【０００２】
従来、地震が発生したときに戸体が意図せずに開放されて収容物が飛び出さないようにするための機構として、耐震ラッチが使用されている。
【０００３】
例えば、特許文献１には、棚本体側に取り付けられた装置本体の振動エリアに振動可能に球を収納し、この球の動きでフックを押し上げて戸体の開放をロックするようにした構造が開示されている。
【先行技術文献】
【特許文献】
【０００４】
【特許文献１】特開２００８−８２１６７号公報
【発明の概要】
【発明が解決しようとする課題】
【０００５】
しかし、上記した従来の構造は、開き戸においての使用を前提としたものであり、引戸においての使用を考慮したものではなかった。このため、このような従来の構造を引戸に使用した場合、フックの揺動方向に対して直交する方向に引戸が開こうとするため、振動の発生時にフックと受部とが係合するとフックに無理な力が加わり、フックが破損するおそれがあった。
そこで、本発明は、引戸において使用可能な耐震ラッチ構造を提供することを課題とする。
【課題を解決するための手段】
【０００６】
本発明は、上記した課題を解決するためになされたものであり、以下を特徴とする。
【０００７】
（請求項１）
請求項１に記載の耐震ラッチ構造は、レールを備えた天板と、前記レールに沿って摺動可能な引戸と、前記天板に取り付けられる耐震ラッチ本体と、前記引戸に取り付けられる受部材と、を備え、前記耐震ラッチ本体は、振動が発生したときに揺動して前記受部材と係合するフック部材を備え、前記フック部材は、前記引戸の面に対して垂直に配設された揺動軸を支点として揺動することを特徴とする。
【０００８】
（請求項２）
請求項２に記載の発明は、上記した請求項１記載の発明の特徴点に加え、以下の点を特徴とする。
すなわち、前記引戸は引き違いで建て込まれており、内側の引戸に取り付けられる受部材は引戸の側面に固定され、外側の引戸に取り付けられる受部材は引戸の上面に固定されることを特徴とする。
【発明の効果】
【０００９】
請求項１に記載の発明は上記の通りであり、耐震ラッチ本体は、振動が発生したときに揺動して受部材と係合するフック部材を備え、前記フック部材は、引戸の面に対して垂直に配設された揺動軸を支点として揺動する。すなわち、フック部材の揺動方向に対して平行に引戸が開くように配設されているため、振動の発生時にフック部材と受部材とが係合した場合にフック部材に無理な力が加わらないので、確実に戸体の開放をロックすることができるとともに、フック部材の破損を有効に防止することができる。
【００１０】
また、請求項２に記載の発明は上記の通りであり、前記引戸は引き違いで建て込まれており、内側の引戸に取り付けられる受部材は引戸の側面に固定され、外側の引戸に取り付けられる受部材は引戸の上面に固定される。すなわち、内側と外側とで受部材の形状と取り付け位置を変えることで、引き違いで建て込まれた引戸に受部材が干渉しないようにすることができる。
【図面の簡単な説明】
【００１１】
【図１】引戸の外観斜視図である。
【図２】Ａ−Ａ断面図であって、（ａ）無振動状態の図、（ｂ）振動状態の図である。
【図３】（ａ）Ｂ−Ｂ断面図、（ｂ）Ｃ−Ｃ断面図である。
【図４】Ｄ−Ｄ断面（一部省略）図である。
【図５】耐震ラッチ本体の外観斜視図である。
【図６】耐震ラッチ本体の（ａ）平面図、（ｂ）側面図である。
【図７】耐震ラッチ本体の分解斜視図である。
【図８】振り子部材の（ａ）斜視図、（ｂ）側面図である。
【図９】フック部材の側面図であって、（ａ）無振動状態の図、（ｂ）振動状態の図である。
【図１０】振り子部材が振動したときのケース体の内部を示す図である。
【図１１】無振動状態における（ａ）Ｅ−Ｅ断面図、（ｂ）Ｆ−Ｆ断面図である。
【図１２】振動状態における（ａ）Ｅ−Ｅ断面図、（ｂ）Ｆ−Ｆ断面図である。
【発明を実施するための形態】
【００１２】
本発明の実施形態について、図を参照しながら説明する。
【００１３】
本実施形態に係る耐震ラッチ構造は、図１に示すような引戸６０、６１に取り付けられて引戸６０、６１が開放しないようにロックするためのものである。本実施形態においては、図１に示すように、筐体５５の前面に内側の引戸６０と外側の引戸６１とが引き違いで建て込まれている。
【００１４】
筐体５５の天板５６には、図２に示すように内外２本のレール５７が形成されている。前記した内側の引戸６０及び外側の引戸６１は、このレール５７に沿って摺動可能に取り付けられている。
【００１５】
また、筐体５５の天板５６には、図２に示すように耐震ラッチ本体１０が取り付けられている。また、内側の引戸６０及び外側の引戸６１には、それぞれ第１受部材５０及び第２受部材５１がネジなどで固定されている。この耐震ラッチ本体１０と受部材５０、５１は、引戸６０、６１を閉じた状態で係合可能な位置に配置されている。すなわち、耐震ラッチ本体１０のケース体１１からはフック部材２５が突出しており、引戸６０、６１を閉じた状態でフック部材２５が揺動したとすると、フック部材２５が受部材５０、５１に係合するような配置となっている。この状態で地震などの振動が発生すると、後述する耐震ラッチ本体１０の内部機構が作動することにより、フック部材２５が揺動し、図２（ｂ）に示すように、フック部材２５が受部材５０、５１に係合し、引戸６０、６１が開放しないようにロックする。振動が継続している間は、フック部材２５が倒れた状態を維持するので、ロックが解除されることはなく、引戸６０、６１が意図せずに開放されて収容物が飛び出さないようになっている。なお、振動が止むと図２（ａ）に示すようにフック部材２５が上方に持ち上がった状態となり、引戸６０、６１のロックが解除されるようになっている。
【００１６】
以下、耐震ラッチ本体１０について詳述する。なお、以下に説明する耐震ラッチ本体１０の構造は一例に過ぎず、振動が発生したときに揺動するフック部材２５を備えた構造であれば、以下に説明する構造とは異なる構造を備えた耐震ラッチ本体１０を使用してもよい。
【００１７】
本実施形態に係る耐震ラッチ本体１０は、図７に示すように、作動機構を内蔵するケース体１１と、前記ケース体１１に揺動可能に軸支されるフック部材２５と、前記ケース体１１に振動可能に吊支持される振り子部材３５と、を備えている。
【００１８】
ケース体１１は、上面を開放したケース本体１２と、前記ケース本体１２の上面を覆うケース蓋部２０と、前記ケース蓋部２０の上面に取り付けられるキャップ２２と、を備えている。
【００１９】
ケース本体１２は、フック部材２５の後端部や振り子部材３５を収容するための振り子収容室１５を備えた部材である。振り子収容室１５の内部には、図１０に示すように、リブ状の衝突部１６が中心方向に向けて突出して設けられている。本実施形態においては、衝突部１６は所定の間隔を設けて５箇所に配置されている。
【００２０】
このケース本体１２は左右に突出した取付片１３を備えており、この取付片１３を貫通するようにネジを取り付けることで、任意の取付位置（例えば図２に示す筐体５５の天板５６）に固定できるようになっている。また、このケース本体１２は、図７に示すように、フック部材２５を揺動可能に支持するための軸受部１４を備えている。
【００２１】
ケース蓋部２０は、ケース本体１２の振り子収容室１５を上部を閉塞するための部材であり、このケース蓋部２０で振り子収容室１５を閉塞することで、ケース本体１２に内蔵されたフック部材２５や振り子部材３５が外に飛び出さないようになっている。このケース蓋部２０の平面視中央付近には、振り子部材３５を振動可能に吊支持するための係合孔２１が貫通形成されている。
【００２２】
キャップ２２は、ケース蓋部２０の上面に嵌合固定される部材である。このキャップ２２を取り付けることによって、上記したケース蓋部２０の係合孔２１の上部が塞がれるようになっており、係合孔２１に係合させた振り子部材３５の先端が上方に飛び出さないようになっている。
【００２３】
フック部材２５は、図７等に示すように、揺動軸２６と、揺動軸２６の一方側に形成されたフック２７と、揺動軸２６の他方側に形成された振り子係合部２８と、を備えている。揺動軸２６はフック部材２５の両側に突出形成されており、ケース体１１の軸受部１４に揺動可能に軸支される。フック２７は先端が鉤状となっており、この鉤状の先端が受部材５０、５１と係合することで戸体の開放をロック可能となっている。振り子係合部２８は中央付近に振り子部材３５を貫通させるための貫通孔２９を形成した部位であり、振り子部材３５が振動したときに振り子部材３５に係合して押し上げられる部分である。なお、フック２７と振り子係合部２８とは互いに平行に延出形成されるのではなく、図９に示すように、揺動軸２６を挟んで約２０度の角度を設けて延出形成されている。
【００２４】
振り子部材３５は、図８に示すように、上部の係合部３６と下部の揺動錐体部３９とを中間軸３８によって上下に結合した部材である。係合部３６は、首下周面３７を曲面で形成した半球状の部位である。この係合部３６が上記したケース蓋部２０の係合孔２１に係合することで、振り子部材３５は振動可能に吊り支持されている。また、揺動錐体部３９は、底面４１を曲面で形成した略円錐状の部位である。この振り子部材３５は、図１１及び図１２に示すように、フック部材２５の貫通孔２９を貫通するように配置され、揺動錐体部３９のテーパ状の周面４０が貫通孔２９の内周に臨むように配置されている。
【００２５】
この耐震ラッチ本体１０は、無振動時においては、図１１（ａ）に示すように、フック２７が略水平に持ち上げられた姿勢を保っている。すなわち、フック部材２５は、フック２７側よりも振り子係合部２８側の方が重くなるように形成されているため、自重により振り子係合部２８側が下がるようになっており、持ち上げられたフック２７の上部がケース蓋部２０に当接することで略水平となっている。このとき、振り子係合部２８は、フック２７の延設方向に対して約２０度の傾斜を設けて斜めに延設されているため、先端が振り子収容室１５の奥下方向に向かって斜め下方に延びた状態となっている。
【００２６】
そして、地震などの振動が発生すると、図１１（ｂ）に示すように、振り子部材３５が振動し、振り子部材３５の周面４０がフック部材２５の貫通孔２９の内周を押し上げることでフック部材２５が揺動する。このため、フック２７が傾いて先端が下がるので、フック２７が受部材５０、５１に係合するようになっている。
【００２７】
このとき、振り子部材３５は、ケース蓋部２０に当接する位置まで揺動可能となっており、このようにケース蓋部２０に当接する位置まで揺動したときに、振り子係合部２８が略水平となる。すなわち、フック２７と振り子係合部２８とがなす角度（本実施形態においては約２０度）が、フック部材２５の揺動可能な角度となっている。このような構成とすることで、振り子収容室１５の内部をできるだけ広く使って振り子係合部２８を揺動させることができるので、振り子収容室１５の高さ（すなわちケース体１１の高さ）を低くしつつも、フック部材２５の振り幅を大きく確保することができるようになっている。
【００２８】
なお、振り子収容室１５内で振動する振り子部材３５は、図１０に示すように、上述した衝突部１６に衝突するようになっている。この衝突部１６は、振り子部材３５が振り子収容室１５の内壁に当たらないような間隔で設けられているため、大きく振動した振り子部材３５は必ず衝突部１６に衝突するようになっている。このように振り子部材３５が衝突部１６に衝突することで、振り子部材３５の振動方向が不規則に変化するようになっている。振り子部材３５の振動方向が不規則に変化することで、振り子部材３５が中央（無振動状態の位置）をなるべく通過しないように誘導できるようになっている。すなわち、振動中に振り子部材３５が中央を通過すると、振り子部材３５がフック部材２５を押し上げていない状態が瞬間的に発生するため、なるべくこのような状態とならないように振り子部材３５を不規則に振動させている。なお、振動中に振り子部材３５が中央を通過した場合でも、フック部材２５はすぐには元の位置に戻らないため、フック２７の係合が外れることはないが、上記した衝突部１６を設けることで、更に確実にフック２７の係合が意図せずに外れることがないようになっている。
【００２９】
ところで、上記した振り子部材３５の底面４１は、図１１に示すように宙に浮いた状態であり、他部材に接触しないようになっている。そして、この底面４１は、係合部３６の首下周面３７と同心の球面で形成されている。このため、振り子部材３５が振動したときにも、振り子部材３５の底面４１が振り子収容室１５の底面とほぼ同じ距離を保ったままで接触することなく振動するようになっている。このため、振り子部材３５の重心を低く重くするとともに、振り子部材３５と振り子収容室１５とが接触しないので無駄な摩擦力が発生せず、すなわち、振り子部材３５の振れる力を大きくするとともに、振り子部材３５の運動を妨げないようになっている。よって、振り子部材３５が確実にフック部材２５を押し上げて揺動させるようになっている。
【００３０】
なお、上記した耐震ラッチ本体１０は、図２〜４に示すように、フック部材２５の揺動軸２６が引戸６０、６１の面に対して垂直となるように天板５６に取り付けられている。このため、このフック部材２５は、引戸６０、６１の面に対して垂直に配設された揺動軸２６を支点として、引戸６０、６１の面に対して水平に揺動するように配設されている。このようにフック部材２５が配設されることで、図２（ｂ）に示すように、振動の発生時に引戸６０、６１の摺動を受け止めるようにフック部材２５と受部材５０、５１とを確実に係合させることができる。また、引戸６０、６１が振動により開こうとする力をフック部材２５の揺動軸２６によって受け止めることができるので、フック部材２５に無理な力が加わることもない。
【００３１】
また、引戸６０、６１が引き違いで建て込まれているため、この違いに対応するために、内側の引戸６０に取り付けられる第１受部材５０と、内側の引戸６０に取り付けられる第１受部材５０と、は異なる形状及び異なる取り付け方となっている。
【００３２】
具体的には、内側の引戸６０に取り付けられる第１受部材５０は、図３（ｂ）及び図４に示すように側面視略Ｌ字形に形成された金具であり、内側の引戸６０の側面に固定される取付部５０ｃと、この取付部５０ｃに対して略直角に形成されたフック係合部５０ａと、を備えている。フック係合部５０ａは、地面に対して水平で、かつ、筐体５５の内側方向に突出するように設けられている。フック係合部５０ａには、フック２７を係合させるための四角形状の係合孔５０ｂが形成されている。この第１受部材５０は、内側の引戸６０を閉めたときにフック２７の先端が係合孔５０ｂに臨むように、内側の引戸６０にネジなどで固定される。
【００３３】
また、外側の引戸６１に取り付けられる第２受部材５１は、図３（ａ）及び図４に示すような形状の金具であり、外側の引戸６１に固定される取付部５１ｄと、この取付部５１ｄから略水平方向に延びる延設部５１ｃと、延設部５１ｃの先に形成されたフック係合部５１ａと、を備えている。取付部５１ｄは、地面に対して水平に形成され、外側の引戸６１の上面に固定できるようになっている。また、延設部５１ｃは、内側の引戸６０に干渉しないように山型に曲折して形成されている。また、フック係合部５１ａは、地面に対して水平で、かつ、筐体５５の内側方向に突出するように設けられている。このフック係合部５１ａには、フック２７を係合させるための四角形状の係合孔５１ｂが形成されている。この第２受部材５１は、外側の引戸６１を閉めたときにフック２７の先端が係合孔５１ｂに臨むように、外側の引戸６１にネジなどで固定される。
【００３４】
なお、既存の引戸６１に第２受部材５１を取り付ける場合には、第２受部材５１の取り付け位置に突出部６２（レール５７との係合部）が存在する可能性がある。このような場合には、突出部６２が移動可能（突出部６２が後付けのローラ部材で構成されている場合など）であれば移動すればよいし、突出部６２が戸体の上部を凸型に加工して形成されている場合などであれば突出部６２を削るなどして第２受部材５１の取り付け場所を確保すればよい。
【００３５】
また、引戸６０、６１を全開にしたときに、内側の引戸６０の突出部６２と第２受部材５１の延設部５１ｃとが干渉するおそれがある場合には、図４の符号Ｓに示すように、内側の引戸６０の突出部６２の一部を移動または削除してもよい。
【００３６】
以上説明したように、本実施形態によれば、耐震ラッチ本体１０は、振動が発生したときに揺動して受部材５０、５１と係合するフック部材２５を備え、前記フック部材２５は、引戸６０、６１の面に対して垂直に配設された揺動軸２６を支点として揺動する。すなわち、フック部材２５の揺動方向に対して平行に引戸６０、６１が開くように配設されているため、振動の発生時にフック部材２５と受部材５０、５１とが係合した場合にフック部材２５に無理な力が加わらないので、確実に戸体の開放をロックすることができるとともに、フック部材２５の破損を有効に防止することができる。
【００３７】
また、前記引戸６０、６１は引き違いで建て込まれており、内側の引戸６０に取り付けられる受部材５０は引戸６０の側面に固定され、外側の引戸６１に取り付けられる受部材５１は引戸６１の上面に固定される。すなわち、内側と外側とで受部材５０、５１の形状と取り付け位置を変えることで、引き違いで建て込まれた引戸６０、６１に受部材５０、５１が干渉しないようにすることができる。
【符号の説明】
【００３８】
１０  耐震ラッチ本体
１１  ケース体
１２  ケース本体
１３  取付片
１４  軸受部
１５  振り子収容室
１６  衝突部
２０  ケース蓋部
２１  係合孔
２２  キャップ
２５  フック部材
２６  揺動軸
２７  フック
２８  振り子係合部
２９  貫通孔
３５  振り子部材
３６  係合部
３７  首下周面
３８  中間軸
３９  揺動錐体部
４０  周面
４１  底面
５０  第１受部材（受部材）
５０ａ  フック係合部
５０ｂ  係合孔
５０ｃ  取付部
５１  第２受部材（受部材）
５１ａ  フック係合部
５１ｂ  係合孔
５１ｃ  延設部
５１ｄ  取付部
５５  筐体
５６  天板
５７  レール
６０  内側の引戸（引戸）
６１  外側の引戸（引戸）
６２  突出部
【図１】
2015017449.tif 000003
【図２】
2015017449.tif 000004
【図３】
2015017449.tif 000005
【図４】
2015017449.tif 000006
【図５】
2015017449.tif 000007
【図６】
2015017449.tif 000008
【図７】
2015017449.tif 000009
【図８】
2015017449.tif 000010
【図９】
2015017449.tif 000011
【図１０】
2015017449.tif 000012
【図１１】
2015017449.tif 000013
【図１２】
2015017449.tif 000014